(57)【要約】  【課題】  各便座に対して便座の上面部の露出量を少なくすることができる大きさに形成された便座シートを便座の上面部に載置した場合、便座の内周側となる部分が大き過ぎるときは、スリット間の部片を便座側へ押付けることにより該部片を便座に接着することができ、着座感を損なうことなく便座の内周部内空間が便座シートによって狭くなるのを防ぐことができるようにする。  【解決手段】  便座の上面部の左側位置及び右側位置に載置する一対であり、便座の内周側となる縁に複数のスリット１１を設け、その下面に接着層を設けて、便座の内周側となる部分が大き過ぎるとき、スリット１１間の部片を便座側へ押付けることにより該部片を便座に接着するようにした。【選択図】      図１
0003105081.tif 000002
【実用新案登録請求の範囲】
【請求項１】
便座の上面部に載置される便座シートにおいて、便座の内周側となる縁に複数のスリットを設けてあり、その下面に接着層を有することを特徴とする便座シート。
【請求項２】
便座の左側位置及び右側位置に載置する一対を備えている請求項１記載の便座シート。
【請求項３】
便座の全周に亘って載置する環形をなしている請求項１記載の便座シート。
【請求項４】
前記接着層は前記スリット側に設けられている請求項１乃至３のいずれか一つに記載の便座シート。
【考案の詳細な説明】
【技術分野】
【０００１】
本考案は、便座の上面部に載置する便座シートに関する。
【背景技術】
【０００２】
洋式便器には便器本体に対して揺動が可能なＯ型、Ｕ型などの便座を備えており、便座には便座カバーが装着されるか、又は、便座シートが載置される（例えば、特許文献１、特許文献２）。
【０００３】
便座カバーは便座の上面部から下面部にかけて被覆し、ゴム紐及びフック等により便座に装着されるように構成されているのに対し、便座シートは便座の上面部に載置されるだけであるため、便座カバーに比べて簡易に装着、取外しができ、しかもコストを低減できる。
【特許文献１】特開平１１−１７８７４８号公報
【特許文献２】実開平４−２５５９４号公報
【考案の開示】
【考案が解決しようとする課題】
【０００４】
しかしながら、洋式便器の便座には複数の型式があり、しかも、型式が同じであっても便座メーカによって便座の大きさが異なるため、便座シートを各便座に共通して用いる場合、便座に対して便座シートが小形であるときは、便座上面部の露出量が多くなり、この露出部分にお尻が接触して着座感を損なうことになる。また、便座に対して便座シートが大形であるときは、便座シートの縁部が便座の周縁よりも突出し、便座の内周部内空間が狭くなり、便座シートが汚れ易くなる。
【０００５】
本考案は斯かる事情に鑑みてなされたものであり、主たる目的は便座の内周側となる縁に複数のスリットを設け、その下面に接着層を設けることにより、便座の内周側となる部分が大き過ぎるとき、スリット間の部片を便座側へ押付けることにより該部片を便座に接着することができる便座シートを提供することにある。
【０００６】
また、他の目的は便座の左側位置及び右側位置に載置する一対を備える構成とすることにより、便座の適正位置に簡易に載置することができる便座シートを提供することにある。
【０００７】
また、他の目的は便座の全周に亘って載置する環形をなしている構成とすることにより、適正な着座位置に対してずれた位置に着座した場合においても着座感を得ることができる便座シートを提供することにある。
【０００８】
また、他の目的は接着層がスリット側に設けられている構成とすることにより、スリット間の部片の曲げ状態を接着層により維持することができ、しかも、便座シートの便座に対する位置ずれを防ぐことができる便座シートを提供することにある。
【課題を解決するための手段】
【０００９】
第１考案に係る便座シートは、便座の上面部に載置される便座シートにおいて、便座の内周側となる縁に複数のスリットを設けてあり、その下面に接着層を有することを特徴とする。
【００１０】
第１考案にあっては、各便座に対して便座の上面部の露出量を少なくすることができる大きさに形成された便座シートを便座の上面部に載置した場合、便座の内周側となる部分が大き過ぎるときは、スリット間の部片を便座側へ押付けることにより該部片を便座に接着することができるため、着座感を損なうことなく便座の内周部内空間が便座シートによって狭くなるのを防ぐことができ、便座シートを汚れ難くできる。
【００１１】
第２考案に係る便座シートは、便座の左側位置及び右側位置に載置する一対を備えていることを特徴とする。
【００１２】
第２考案にあっては、一対の便座シートをそれぞれ別個に載置することができるため、便座の適正位置に簡易に載置することができる。
【００１３】
第３考案に係る便座シートは、便座の全周に亘って載置する環形をなしていることを特徴とする。
【００１４】
第３考案にあっては、適正な着座位置に対してずれた位置に着座した場合においても着座感を得ることができる。
【００１５】
第４考案に係る便座シートは、前記接着層は前記スリット側に設けられていることを特徴とする。
【００１６】
第４考案にあっては、スリット間の部片の曲げ状態を接着層により維持することができ、しかも、便座シートの便座に対する位置ずれを防ぐことができる。
【考案の効果】
【００１７】
第１考案によれば、各便座に対して便座の上面部の露出量が少なく、着座感を得ることができる大きさとした場合、便座の内周側となる部分が大き過ぎるとき、スリット間の部片を便座側へ押付けることにより該部片を便座に接着することができるため、着座感を損なうことなく便座の内周部内空間が便座シートによって狭くなるのを防ぐことができ、便座シートを汚れ難くできる。
【００１８】
第２考案によれば、一対の便座シートをそれぞれ別個に載置することができるため、便座の適正位置に簡易に載置することができる。
【００１９】
第３考案によれば、適正な着座位置に対してずれた位置に着座した場合においても着座感を得ることができる。
【００２０】
第４考案によれば、スリット間の部片の曲げ状態を接着層により維持することができ、しかも、便座シートの便座に対する位置ずれを防ぐことができる。
【考案を実施するための最良の形態】
【００２１】
以下本考案をその実施の形態を示す図面に基づいて詳述する。図１は便座シートの平面図、図２は図１のII−II線の拡大断面図、図３は便座シートの底面図である。
【００２２】
本考案に係る便座シート１は、略円弧形をなしており、一対を備える。この便座シート１は不織布によって形成されている。不織布の加工は、ポリエステル等の熱可塑性繊維を互いにからませて集合してなる比較的薄肉のシート状のウェブを形成し、このウェブの一面をニードルパンチ加工により起毛させる。このように形成された不織布は良好な保水性を有すると共に、適当な程度の撓み性を有する。
【００２３】
このように形成された不織布の裏面、換言すれば不織布を用いてなる便座シート１の下面には接着層２を塗布してある。
【００２４】
この接着層２は粘着性を有するアクリル酸エステル共重合体及び熱可塑性繊維とよく相溶するメチルメタアクリレートブタジエン共重合体のエマルジョンに充填材を配合してなる合成樹脂材料が用いられる。
【００２５】
接着層２は次のような工程によって形成される。上述した合成樹脂材料の溶液をポンプによって送り出す送出路の中間に空気源に連通する撹拌室が設けてあり、該撹拌室に空気を吹き込みつつ撹拌室に供給された前記溶液を撹拌することによって該溶液を泡立たせ、この泡状溶液を前記送出路の出口から便座シート１を構成する前記不織布の下面に塗布し、この塗布された泡状溶液をドクターブレードにより均した後、約１２０℃の乾燥室で１乃至２分の間乾燥させ、この後、乾燥室から取り出し、冷却することにより粘着性を有する状態で前記泡状溶液が硬化し、複数の微小気泡を有する接着層２が形成される。尚、不織布の下面に塗布された溶液の一部は不織布に浸透する。
【００２６】
上述の接着層２を形成するときの乾燥によって泡状の溶液のアクリル酸エステル共重合体とメチルメタアクリレートブタジエン共重合体とが化学反応して分子間に橋かけ結合が生じ、また、溶液の全ての泡部が微小気泡となる。この溶液のアクリル酸エステル共重合体とメチルメタアクリレートブタジエン共重合体との橋かけ結合によって接着層２の保形性を高めることができ、該保形性によって、不織布の保形性を高めることができ、洗濯による皺を発生し難くできる。しかも、微小気泡は接着層２の表面にも生ずるため、接着層２を便座の上面部に押付けることによりその表面に露出する複数の微小気泡の夫々が内部空気を排出し、真空吸着作用をなし、この真空吸着作用及び前記粘着性が接着層２の接着性を高めている。
【００２７】
以上のように接着層２が形成された不織布を適宜の大きさ及び適宜の形状に裁断することによって例えば略円弧形をなす一対の便座シート１，１、又は、四角の環形をなす便座シート１ａが形成される。図４は環形をなす便座シートの斜視図、図５は環形をなす便座シートの底面図である。便座シート１，１及び便座シート１ａは、便座の内側となる縁に３０乃至５０mm程度で離隔する複数のスリット１１，１１…を設けてある。また、便座シート１、１ａは比較的大きい便座に対応した大きさに形成されている。
【００２８】
図６は本考案に係る便座シートを設置型便器の便座の上面部に載置した状態の斜視図、図７は図６のVII −VII 線の拡大断面図、図８は可搬型便器の便座の上面部に載置した状態の斜視図、図９は図８のIX−IX線の拡大断面図である。設置型便器Ａにおいて、本考案に係る便座シート１，１は、図６に示すようにその一方が便座上面部の左側部に、他方が便座上面部の右側部に載置して用いられる。可搬型便器Ｂにおいて、本考案に係る便座シート１ａは、図８に示すように便座の全周に亘って載置される。
【００２９】
便座シート１，１、１ａを載置するとき、夫々のスリット１１，１１…の間の部片１２，１２…を便座側へわずかな力にて押付けることにより、接着層２，２の接着性、即ち、粘着性及び真空吸着作用によって夫々の部片１２，１２…を弁座の上面部に接着することができ（図７、図９参照）、部片１２，１２…の曲げ状態を保つことができる。また、便座に載置した便座シート１，１、１ａは、その接着層２の粘着性及び真空吸着作用によって位置ずれを良好に防止できる。
【００３０】
このように便座シート１，１、１ａの内縁部を曲げて便座の内周部に接着するため、便座の内周部内空間が便座シート１，１、１ａによって狭くなるのを防ぐことができ、便座シート１，１、１ａを汚れ難くできる。
【００３１】
汚損した便座シート１，１、１ａは、便座シート１，１、１ａの端部を掴んで持ち上げることにより容易に便座上面部から剥がすことができ、この汚損した便座シート１，１、１ａを洗濯機等により洗濯することができる。
【００３２】
また、接着層２は接着性及び保形性を有する合成樹脂材料からなり、この接着層２が便座シート１，１、１ａの洗濯による皺を防いでいるため、便座シート１，１、１ａの洗濯を繰り返した場合においても洗濯皺を生じさせることなく平坦な形状を保つことができ、洗濯した便座シート１，１、１ａを便座に良好に敷くことができる。
【００３３】
尚、以上説明した実施の形態では、不織布の下面に接着層２を全面的に設けたが、その他、接着層２はスリット１１，１１…間の部片１２，１２…の下面にだけ設けた構成としてもよい。
また、以上説明した実施の形態では略円弧形をなす便座シート１、四角の環形をなす便座シート１ａとしたが、便座シート１、１ａの形状は特に制限されない。
【図面の簡単な説明】
【００３４】
【図１】本考案に係る便座シートの平面図である。
【図２】図１のII−II線の拡大断面図である。
【図３】本考案に係る便座シートの底面図である。
【図４】本考案に係る環形をなす便座シートの斜視図である。
【図５】本考案に係る環形をなす便座シートの底面図である。
【図６】本考案に係る便座シートを設置型便器の便座の上面部に載置した状態の斜視図である。
【図７】図６のVII −VII 線の拡大断面図である。
【図８】本考案に係る可搬型便器の便座の上面部に載置した状態の斜視図である。
【図９】図８のIX−IX線の拡大断面図である。
【符号の説明】
【００３５】
１、１ａ  便座シート
１１  スリット
２    接着層
【図１】
0003105081.tif 000003
【図２】
0003105081.tif 000004
【図３】
0003105081.tif 000005
【図４】
0003105081.tif 000006
【図５】
0003105081.tif 000007
【図６】
0003105081.tif 000008
【図７】
0003105081.tif 000009
【図８】
0003105081.tif 000010
【図９】
0003105081.tif 000011